(57)【要約】      （修正有）【課題】支柱間の離隔距離が一定しない場合でも、巾木の長手方向寸法を自在に調整可能とする仮設足場用の巾木を提供する。【解決手段】上下方向の寸法が略同一である二つの巾木部材１１の一方に、位置決め用の孔部１４を設ける一方、他方の巾木部材１１に、位置決め用の孔部１４または固定突起を設け、重ね合わせた二つの巾木部材を、重ね合わせた孔部１４、または一方の巾木部材の孔部から突出させた固定突起において固定する。重ね合わせた二つの巾木部材を、位置決め用の孔部または固定突起を利用して固定することにより、巾木部材の長手方向の寸法を自在に可変調整することが可能となる。【選択図】図１
0003155227.tif 000002
【実用新案登録請求の範囲】
【請求項１】
上下方向の寸法が略同一である二つの巾木部材の一方に、位置決め用の孔部を設ける一方、
他方の巾木部材に、位置決め用の孔部または固定突起を設け、
重ね合わせた二つの巾木部材を、重ね合わせた孔部、または一方の巾木部材の孔部から突出させた固定突起において固定することを特徴とする仮設足場用の巾木。
【請求項２】
位置決め用の孔部は、巾木部材の上下端縁近傍に設けた小孔であることを特徴とする請求項１記載の仮設足場用の巾木。
【請求項３】
一方の巾木部材に設ける位置決め用の孔部は、巾木部材の上下方向略中央の長手方向に設けた長孔であり、
他方の巾木部材に設ける固定突起は、巾木部材の上下方向略中央であって左右略中央となる位置と、巾木部材の上下方向略中央であって左右端部のいずれか一方の近傍に配設することを特徴とする請求項１記載の仮設足場用の巾木。
【請求項４】
巾木部材の少なくとも一方の下端に、水平フランジを設けることを特徴とする請求項１〜請求項３記載の仮設足場用の巾木。
【考案の詳細な説明】
【技術分野】
【０００１】
本考案は、仮設足場用の巾木に係り、とくに支柱間の離隔寸法が作業現場ごとに可変する仮設足場用の巾木に関する。
【背景技術】
【０００２】
建設作業や、工場内での各種作業において使用される仮設足場は、概ね、図５に示すように、上下方向に積み重ねが可能な支柱１と、この支柱１を連絡する水平材２と、作業員の作業や歩行のための足場板（布板）３、および落下物防止のための巾木４を備えている。
【０００３】
仮設足場は、建築用、土木用、工場内作業用など、各種のタイプがある。これらのうち、本願考案に係る巾木４は、主として金属管（鋼管等）を用いて構築する単管足場に用いるものである。
【０００４】
巾木４は、足場板３の端部に立設させて仮設足場の支柱１間に設ける。巾木４は、作業員の転落防止や、作業員が作業用物品等を落としたときに、下にいる他の作業員等がケガをしないよう、物品等の落下を阻止する役目を果たす。従って、この巾木４は、仮設足場の足場板３の端部に沿って垂直に、足場板３の長手方向または／および短手方向に立設される。なお、短手方向の巾木は省略できる場合もあるので、図５では支柱１の短手方向の巾木を省略してある。足場板３に落ちた作業用物品等が、跳ね返って下に落下することを阻止するものであるから、巾木４の高さはそれほど高くする必要はない。例えば、１０〜３０ｃｍ程度の高さがあればよい。
【０００５】
従来、巾木４は、足場板３に用いる板材を用いる（転用する）ことが少なくなかった。仮設用足場の支柱１の離隔距離が略一定の場合、足場板３の長手寸法と、巾木４の長手寸法は略一致するからである。このため、足場板３を巾木４として転用しても、実際の作業現場では、寸法の若干の長短に関しては過度に神経質にならずに利用していたのが実情である。
【先行技術文献】
【特許文献】
【０００６】
【特許文献１】なし
【考案の開示】
【考案が解決しようとする課題】
【０００７】
問題は、支柱１の離隔距離（支柱間の距離）が、一定寸法ではないことが多い作業現場の場合である。このようなケースは、例えば、工場内の機械類等の点検や整備のための仮設足場において生ずることが多い。工場内の限定されたスペースでは、やむを得ず仮設足場の寸法を変更せざるを得ないことがあるからである。
【０００８】
この場合、通常の場合より支柱１間の離隔距離が短い場合は、足場板３が外方に突出する問題があり、支柱１間の離隔距離が通常より長くなった場合は、巾木４の長手方向寸法が足りなくなるため、隣り合う巾木４の間に隙間が生じる問題がある。
【０００９】
そこで、本考案の目的は、支柱間の離隔距離が一定しない場合でも、巾木の長手方向寸法を自在に調整可能とすることにある。
【課題を解決するための手段】
【００１０】
前記目的を達成して、課題を解決するため、本考案に係る仮設足場用の巾木は、上下方向の寸法が略同一である二つの巾木部材の一方に、位置決め用の孔部を設ける一方、他方の巾木部材に、位置決め用の孔部または固定突起を設け、重ね合わせた二つの巾木部材を、重ね合わせた孔部、または一方の巾木部材の孔部から突出させた固定突起において固定する（請求項１）。
【００１１】
重ね合わせた二つの巾木部材を、位置決め用の孔部または固定突起を利用して固定することにより、巾木部材の長手方向の寸法を自在に可変調整することが可能となる。
【００１２】
位置決め用の孔部は、巾木部材の上下端縁近傍に設けた小孔とする場合がある（請求項２）。重ね合わせた二つの巾木部材を、重なり合う小孔において、番線等によって簡単に固定できる利点がある。小孔は、円形、楕円、方形など適宜の形状に成形できる。
【００１３】
また、一方の巾木部材に設ける位置決め用の孔部は、巾木部材の上下方向略中央の長手方向に設けた長孔であり、他方の巾木部材に設ける固定突起は、巾木部材の上下方向略中央であって左右略中央となる位置と、巾木部材の上下方向略中央であって左右端部のいずれか一方の近傍に配設する場合がある（請求項３）。
【００１４】
巾木部材の上下略中央の長手方向に設けた長孔と、他方の巾木部材の上下方向略中央に設けた固定突起とを利用して位置調整を行えば、不連続に設ける小孔（請求項２）よりも、自在な位置調整が可能となる。二つの巾木部材が左右に自由にスライドして伸展収縮の位置調整を行うことが出来るからである。
【００１５】
巾木部材のうち少なくともいずれか一方の下端には、水平フランジを設ける場合がある（請求項４）。水平フランジを足場板の下面に突出させることによって、巾木部材と足場板との間に生じる可能性がある隙間をなくし、物品の落下防止を完全ならしめるためである。
【考案の効果】
【００１６】
本考案に係る仮設足場用の巾木（請求項１〜請求項３）によれば、二つの巾木部材を重ね合わせることにより、巾木の長手方向寸法を自在に調整することが可能となる。また請求項４記載のフランジによって物品の落下防止を確実にすることが出来る。
【図面の簡単な説明】
【００１７】
【図１】第一の実施形態に係る巾木を示す図である。
【図２】第二の実施形態に係る巾木を示す図である。
【図３】第三の実施形態に係る巾木を示す図である。
【図４】第四の実施形態に係る巾木を示す図である。
【図５】一般的な仮設足場と巾木とを例示する図である。
【考案を実施するための最良の形態】
【００１８】
図１は、本考案に係る仮設足場用の巾木の一実施形態を示すものである（第一の実施形態）。この巾木１０は、二つの巾木部材１１からなり、それぞれの巾木部材１１には、位置決め用の小孔（孔部）１４を設けてある。
【００１９】
巾木部材１１は、例えば金属板を利用できる。金属板としては、例えば表面に防錆処理を施した肉薄の鋼板を使用する。鋼板は、コストも安価であり、十分な強度をもつからである。樹脂板、木板を利用しても良いが、製造コストが若干割高になる難がある。
【００２０】
巾木部材１１の寸法は、通常使用されている巾木と同程度ないしそれ以上の上下寸法、および左右寸法をもつようにする。上下寸法は、２０〜２５ｃｍ程度に設定することが望ましい。この程度の適当な上下寸法があれば、作業中の事故を防止する巾木の役目を果たすことが出来るからである。
【００２１】
左右の寸法は、例えば、８０〜９０ｃｍとすることが出来る。二つの巾木部材１１を、同一寸法に成形した場合、小孔１４の穿設位置にもよるが、巾木部材１１を伸展させたときの左右の最大寸法を、例えば１６０〜１８０ｃｍ程度の長さにすることが出来るからである。この程度の左右寸法があれば、支柱間の距離が大きい場合でも、概ね、隣接する巾木に隙間を生じさせずに配設することが可能となる。もちろん、巾木部材１１の上下寸法および左右寸法は、例示した寸法以上の数値に適宜設定して良い。上下寸法を、例えば２５〜３５ｃｍに設定したり、左右寸法を、例えば９０〜１２０ｃｍに設定する等である。
【００２２】
金属板を使用する場合、巾木部材１１の上下端縁は、折り返して成形することが望ましい。上下端縁を折り返して折曲成形することにより、巾木部材１１の剛性が高まると同時に、折り返さない場合の鋭利なエッジによって生じるケガ（皮膚損傷等）を確実に防止することが出来、取り扱い上の安全性も高まる。
【００２３】
小孔１４は、巾木部材１１の上下端縁に沿って適宜数を設ける。この小孔１４は、重ね合わせて使用する二つの巾木部材１１の位置調整を行うためのものであるから、小孔１４の数は多く設ける方が好ましい。小孔１４の数を増やして、隣接する小孔１４同士の離隔距離を出来るだけ小さく設定した方が、重ね合わせて使用する二つの巾木部材１１の位置調整を、より細かなピッチ（寸法幅）で行うことが出来るからである。
【００２４】
重ね合わせた二つの巾木部材１１は、重なり合う小孔１４において適宜の固定部材を用いて、適宜の左右寸法に伸展させた状態で固定することが出来る。固定部材としては、最も簡単には、例えば金属線（いわゆる番線）を用いることが出来る。重ね合わせた小孔１４に金属線を挿通させて固定すれば、金属線の端部を支柱（１）に巻き付けることによって、巾木を支柱（１）に固定する作業も容易になる。この場合、重ね合わせた二枚の巾木部材１１を金属線によって固定する位置は、支柱（１）に最も近い位置にある小孔１４を利用して行うことが望ましい。
【００２５】
なお、金属線を使用しなくても重ね合わせた二つの巾木部材１１を固定できる。小孔に、ボルト等のネジ部材を挿通させて締め固定できるからである。この場合は、ボルト等のネジ部材によって締め固定する小孔１４と、巾木部材１１を支柱（１）に固定するための小孔１４は別であっても良い。
【００２６】
小孔１４の大きさ（内径）は、使用する固定部材の外寸によって適宜設定できる。固定部材として金属線を利用する場合、小孔１４の内径は、例えば２〜１５ｍｍとすることが出来る。金属線の外径は２ｍｍ前後と小さいが、作業の容易を実現するためには、小孔１４の内径は２ｍｍ以上、好ましくは１０〜１５ｍｍ程度とすることが望ましいからである。
【００２７】
かかる仮設足場用の巾木によれば、適当な左右寸法に伸張／収縮させた二つの巾木部材１１の小孔１４に金属線を挿通させて巾木部材１１同士を固定し、適宜位置の小孔１４、例えば支柱（１）に近い部位の小孔に金属線を挿通して、その金属線を支柱（１）に巻き付けることによって、適当な長さに調節した巾木１０を仮設足場の支柱（１）に固定することが出来る。左右寸法を調整してから小孔１４に金属線を挿通させるだけの簡単な作業で巾木１０を仮設足場に固定できる。なお、巾木１０を仮設足場に固定するときは、仮設足場を構成する支柱（１）以外の金属管（例えば水平管）を利用してもよい。
【００２８】
図２は、本考案に係る仮設足場用の巾木２０の他の実施形態を例示するものである（第二の実施形態）。この巾木２０も、前記実施形態の巾木１０と同様、二つの巾木部材２１、２６によって構成する。そして、一方の巾木部材２１には、位置決め用の長孔（孔部）２４を設け、他方の巾木部材２６には、この長孔２４に嵌挿させる固定突起２７を設ける。
【００２９】
一方の巾木部材２１に設ける長孔２４は、巾木部材２１の上下方向略中央の長手方向に設けることが望ましい。長孔２４は、巾木部材２１の上下端縁近傍に二つ設けても良いが、巾木部材２１の上下方向略中央にひとつ設けておけば、巾木２０の左右寸法をバランス良く自由調整できる。従って、製造コストの低減のためには、巾木部材１１の上下方向略中央に一個の長孔２４を設けておくだけで良い。
【００３０】
長孔２４の左右寸法は、巾木２０の伸縮機能を高めるため、出来るだけ大きく設定することが望ましい。例えば、巾木部材２１の左右端縁から１〜２ｃｍ離れた内側位置に長孔２４の左右両端部を位置させる等である。
【００３１】
長孔２４の上下寸法は、他方の巾木部材２６に設ける固定突起２７の外径に応じて設定する。例えば、固定突起２７の外径が１０ｍｍであれば、長孔２４の上下寸法（上下幅）は、それよりも若干大きい寸法、例えば１１〜１２ｍｍとすることが出来る。
【００３２】
固定突起２７の外径は、長孔２４から外方に突出させて左右にスライドさせることが出来れば良い。固定突起２７の外径と長孔２４の内径との関係は、あそびがない状態（いわゆる嵌挿の状態）とすることが望ましいが、あそびがある状態（いわゆる遊嵌の状態）であっても良い。
【００３３】
固定突起２７は、巾木部材２１、２６の締め固定を容易にするため、脚部にネジ山をもつもの、例えばボルトを用いることが望ましい。巾木部材２１、２６の肉厚を、例えば１．２〜３ｍｍとする場合、両方の巾木部材２１、２６を重ね合わせたときの厚み（巾木２０の肉厚）は、上下縁端部の折り返し部分を考慮しても、５〜１５ｍｍ程度とすることが出来るので、固定突起２７の脚長は、例えば１０〜３０ｍｍ程度に設定することが出来る。締め固定は、ナットを用いるのが最も容易である。
【００３４】
固定突起２７は、その基底部を巾木部材２６に固定して設ける。固定突起２７は、少なくとも一個あればよい。ふたつの巾木部材２１、２６を、固定突起２７によって左右に伸張または収縮させて、適当な位置において締め固定することが出来るからである。
【００３５】
しかしながら、二点で締め固定する方が巾木２０は安定する。このため、この実施形態では、巾木部材２６の上下方向略中央であって左右略中央となる位置と、巾木部材２６の上下方向略中央であって左端部の近傍に固定突起２７を設けてある。中央と右端部に設けても作用効果は同じである。つまり、固定突起２７は、巾木部材２６の上下方向略中央であって左右略中央となる位置と、巾木部材２６の上下方向略中央であって左右端部のいずれか一方の近傍に設けておけば良い。
【００３６】
従って、かかる構成によれば、長孔２４に嵌挿（または遊嵌）させ、固定突起２７を動かして巾木部材２１、２６の左右寸法を調整し、適当位置においてナット等を用いて締め固定すれば、巾木２０を適宜の長さに自由に設定できる。
【００３７】
この場合は、長孔２４の左右長の範囲で連続的なスライド調整が可能なので、現場における巾木２０の設置作業もより容易になる。仮設足場への固定は、例えば、現場において小孔を穿設し、該小孔に金属線を挿通させて足場を構成する金属管に金属線を巻き付ければよい。
【００３８】
図３は、巾木２０を、支柱（１）または仮設足場の適当位置に容易に固定するため、巾木部材２１、２６の上下端縁近傍に小孔２８を設ける場合を例示するものである（第三の実施形態）。
【００３９】
巾木部材２１、２６の上下端縁近傍に小孔２８があれば、小孔２８に例えば金属線を挿通して支柱（１）等に固定（例えば括り付け）できるので、巾木２０の固定作業の効率を高めることが出来る。
【００４０】
なお、小孔２８は、巾木部材２１、２６の上端縁または下端縁のどちらか一方に設けるだけでもよい。この実施形態における小孔２８は、金属線を挿通させて仮設足場に巾木２０を固定するためのものであるから、小孔２８は最小限の数、例えば、巾木部材２１、２６の上端近傍の左右にそれぞれ一個、あるいは下端近傍の左右にそれぞれ一個設けるだけでも役目を果たすことが出来るからである。巾木２０の好ましい固定位置は仮設足場の設計によって変わるので、小孔２８の数は、できるだけ多い方が好ましいことは勿論である。
【００４１】
図４は、巾木２０の一方、例えば固定突起２７を設けた巾木部材２６の下端に水平フランジ２９を設けたものである（第四の実施形態）。この場合、巾木部材２６は、側面（断面）略Ｌ字状となる。
【００４２】
小孔２８は、巾木部材２１、２６の例えば上端縁近傍に設ける。下端縁側には小孔２８を設けなくても構わない。勿論、上下の両端縁の近傍に小孔２８を設けてもよい。
【００４３】
水平フランジ２９は、足場板（３）の下面内側に突出させ、巾木２０の下端と足場板（３）の端縁との間に生ずることがある隙間からの物品の落下を防止する。水平フランジ２９を突出させる量（寸法）は、例えば１〜１０ｃｍ程度である。その程度の突出量があれば、足場板（３）と巾木２０の間に生じる可能性がある隙間を完全に塞ぐことが出来るからである。なお隙間は、例えば支柱（１）間の幅と足場板（３）の幅寸法が合わない場合や、経年劣化による足場板（３）の歪み等によって生じやすい。
【００４４】
水平フランジ２９は、足場板（３）の下面との間に隙間を生じないよう、略９０度に折曲成形、または溶接成形、接着成形によって設ける。水平フランジ２９は、巾木部材２１、２６の両方に設けても良い。また、長孔２４と固定突起２７を用いた巾木２０（第二実施形態、第三実施形態のもの）に限らず、図１に示したタイプの巾木１０（第一実施形態のもの）に設けても良い。いずれのタイプの巾木１０、２０にも設けることが出来る。いずれの場合も、水平フランジ２９は、巾木部材のいずれか一方または両方に選択的に設けることが出来る。
【符号の説明】
【００４５】
１０、２０  巾木
１１、２１、２６  巾木部材
１４、２８  小孔（孔部）
２４  長孔（孔部）
２７  固定突起
２９  水平フランジ
【図１】
0003155227.tif 000003
【図２】
0003155227.tif 000004
【図３】
0003155227.tif 000005
【図４】
0003155227.tif 000006
【図５】
0003155227.tif 000007
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
上下方向の寸法が略同一である二つの巾木部材の一方に、位置決め用の孔部を設ける一方、
他方の巾木部材に、位置決め用の孔部または固定突起を設け、
重ね合わせた二つの巾木部材を、重ね合わせた孔部、または一方の巾木部材の孔部から突出させた固定突起において固定することを特徴とする仮設足場用の巾木。
【請求項２】
位置決め用の孔部は、巾木部材の上下端縁近傍に設けた小孔であることを特徴とする請求項１記載の仮設足場用の巾木。
【請求項３】
一方の巾木部材に設ける位置決め用の孔部は、巾木部材の上下方向略中央の長手方向に設けた長孔であり、
他方の巾木部材に設ける固定突起は、巾木部材の上下方向略中央であって左右略中央となる位置と、巾木部材の上下方向略中央であって左右端部のいずれか一方の近傍に配設することを特徴とする請求項１記載の仮設足場用の巾木。
【請求項４】
巾木部材の少なくとも一方の下端に、水平フランジを設けることを特徴とする請求項１〜請求項３のいずれか一項に記載の仮設足場用の巾木。